(57)【要約】【課題】  ノイズに対する耐性を向上しルマデータとクロマデータとを正確に分離することが可能なフレーム間Ｙ／Ｃ分離方法を提供する。【解決手段】  複合ビデオ信号をサンプリングし、複数のサンプリングされた信号ＦmＰx,yを一次的に保存する。ＦmＰx,yはｍフレームのｘラインにおけるｙピクセルのデータを表し、ｍ、ｘおよびｙは０以上の整数である。次にｘラインのｙピクセルにおけるルマデータを表す複数のルマデータＹx,yをＦm+1Ｐx,y、ＦmＰx,y、Ｆm-1Ｐx,yおよびＦm-2Ｐx,yにより測定し、ｘラインのｙピクセルにおけるクロマデータを表す複数のクロマデータＣx,yをＦm+1Ｐx,y、ＦmＰx,y、Ｆm-1Ｐx,yおよびＦm-2Ｐx,yにより測定する。【選択図】  図４
2005184763.tif 000002
【特許請求の範囲】
【請求項１】
フレーム間Ｙ／Ｃ分離方法であって、
複合ビデオ信号をサンプリングして複数のサンプリングされたデータであってＦmＰx,yはｍフレームのｘラインにおけるｙピクセルのデータを表し、ｍ、ｘおよびｙは０以上の整数であるデータＦmＰx,yを一次的に保存し、
ｘラインのｙピクセルにおけるルマデータを表す複数のルマデータＹx,yをＦm+1Ｐx,y、前記ＦmＰx,y、Ｆm-1Ｐx,yおよびＦm-2Ｐx,yにより測定し、
ｘラインのｙピクセルのクロマデータを表す複数のクロマデータＣx,yをＦm+1Ｐx,y、前記ＦmＰx,y、Ｆm-1Ｐx,yおよびＦm-2Ｐx,yにより測定することを特徴とする方法。
【請求項２】
請求項１に記載のフレーム間Ｙ／Ｃ分離方法において、前記ルマデータを測定するための式は、Ｙx,y＝（Ｆm+1Ｐx,y＋ＦmＰx,y＋Ｆm-1Ｐx,y＋Ｆm-2Ｐx,y）／４であることを特徴とする方法。
【請求項３】
請求項２に記載のフレーム間Ｙ／Ｃ分離方法において、前記ルマデータＹx,yはｍフレームのルマデータであることを特徴とする方法。
【請求項４】
請求項１に記載のフレーム間Ｙ／Ｃ分離方法において、前記複合ビデオ信号がＮＴＳＣ方式の信号である場合、複合ビデオ信号をサンプリングするステップはサブキャリア信号の４倍の周波数で行われ、サブキャリア信号の位相は０、０．５π、πもしくは１．５πであることを特徴とする方法。
【請求項５】
請求項４に記載のフレーム間Ｙ／Ｃ分離方法において、前記クロマデータを測定するための式は、Ｃx,y＝(（ＦmＰx,y＋Ｆm-2Ｐx,y−Ｆm+1Ｐx,y−Ｆm-1Ｐx,y）／４であることを特徴とする方法。
【請求項６】
請求項５に記載のフレーム間Ｙ／Ｃ分離方法において、前記クロマデータＣx,yはｍフレームのクロマデータであることを特徴とする方法。
【請求項７】
請求項１に記載のフレーム間Ｙ／Ｃ分離方法において、前記複合ビデオ信号をサンプリングするステップはサブキャリア信号の４倍の周波数で行われ、サブキャリア信号の位相は０．２５π、０．７５π、１．２５πもしくは１．７５πであることを特徴とする方法。
【請求項８】
請求項７に記載のフレーム間Ｙ／Ｃ分離方法において、前記クロマデータは、式Ｃx,y＝(（Ｆm+1Ｐx,y＋ＦmＰx,y−Ｆm-1Ｐx,y−Ｆm-2Ｐx,y）／４またはＣx,y＝(（ＦmＰx,y＋Ｆm-1Ｐx,y−Ｆm+1Ｐx,y−Ｆm-2Ｐx,y）／４にしたがって測定されることを特徴とする方法。
【請求項９】
請求項８に記載のフレーム間Ｙ／Ｃ分離方法において、前記クロマデータＣx,yはｍフレームのクロマデータであることを特徴とする方法。
【請求項１０】
請求項７に記載のフレーム間Ｙ／Ｃ分離方法において、前記複合ビデオ信号はＰＡＬ方式における信号であり、サンプリングするステップはサブキャリア信号の位相が０．２５π、０．７５π、１．２５πもしくは１．７５πで行われることを特徴とする方法。
【発明の詳細な説明】
【技術分野】
【０００１】
本発明は、３Ｄビデオデコーディング方法に関し、特に、フレーム間Ｙ／Ｃ分離方法に関するものである。
【背景技術】
【０００２】
科学技術の発達に伴い、ニュースや情報または遠隔地の映像を発信するのに、テレビなどの電子機器が広く用いられている。さらに、モニタシステムが住居周辺の状況を監視するのに用いられている。これらシステムや装置では、ビデオ信号が送信機から受信機に向けて発信される。
【０００３】
光は赤（Ｒ）、緑（Ｇ）、青（Ｂ）の３原色からなる。送信されるビデオ信号は、送信に適した信号に変換することが可能である。送信帯域幅には限度があるので、その帯域幅に関する問題を解決するために、ビデオ信号はルマデータ（Ｙ）とクロマデータ（ＵおよびＶ）とに変換される。例えば、Ｒ、Ｇ、ＢおよびＹ、Ｕ、Ｖの間の関係は、Ｙ＝０．２９９Ｒ＋０．５８７Ｇ＋０．１１４Ｂ；Ｕ＝０．４９３（Ｂ−Ｙ）；Ｖ＝０．８７７（Ｒ−Ｙ）となる。Ｙの式におけるＲ、Ｇ、Ｂの係数は他の色に対する裸眼による感度を表したものである。ＵおよびＶはルマを除いた後の青および赤を表している。自然光に関しては、ＵおよびＶが０であり、これは色収差が存在しないことを意味している。
【０００４】
信号送信時には、クロマデータはサブキャリア信号によって運ばれ、ルマデータと合成される。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式における基準では、信号は、Ｙ＋Ｕ＊sin（ωｔ）＋Ｖ＊cos（ωｔ）の関係（ここでは２π＊Ｆｓｃに等しい）で複合ビデオ信号に変調され、Ｆｓｃはサブキャリア信号の周波数を表している。ＰＡＬ（Ｐｈａｓｅ  Ａｌｔｅｒｎａｔｉｎｇ  Ｌｉｎｅ）方式における基準では、信号は１８０度の位相差で変調される。ＰＡＬ方式においてフレームのＹ、Ｕ、Ｖのラインを変調する際には、Ｙ＋Ｕ＊sin（ωｔ）＋Ｖ＊cos（ωｔ）もしくは、Ｙ＋Ｕ＊sin（ωｔ）−Ｖ＊cos（ωｔ）が交互に用いられる。すなわち、最初にＹ＋Ｕ＊sin（ωｔ）＋Ｖ＊cos（ωｔ）でラインが変調された場合は、次のラインがＹ＋Ｕ＊sin（ωｔ）−Ｖ＊cos（ωｔ）で変調される。
【０００５】
受信機が複合ビデオ信号を受信した後、まずその信号のサンプリングが行われる。コムフィルタはＦｓｃの４倍の周波数で信号をサンプリングする。したがって、ＮＴＳＣ方式における各ラインは９１０のサンプリングポイントを備え、ＰＡＬ方式における各ラインは１１３５のサンプリングポイントを備えている。ＮＴＳＣ方式の各フレームは５２５本のラインを有しているため、ＮＴＳＣ方式の各フレームは４７７，７５０のサンプリングポイントを有している。ＰＡＬ方式の各フレームは６２５本のラインを有しており、７０９，３７９のサンプリングポイントを有している。したがって、サンプリングポイント数はライン数の倍数ではないため、サンプリング位置によっては様々な位相誤差が生じる。
【０００６】
一般的に、ビデオデコーディング技術において重要なのは、ルマとクロマとの分離である。Ｙ／Ｃ分離は画質に影響を及ぼす。高画質画像のために、３Ｄコムフィルタが広く用いられている。
【０００７】
３Ｄコムフィルタが複合ビデオ信号の処理を行う際には、９０度の位相差で信号のサンプリングを行う。ＮＴＳＣ方式では、サンプリング位相がそれぞれ０、０．５π、π、１．５πである場合、信号はＹ＋Ｖ、Ｙ＋Ｕ、Ｙ−Ｖ、Ｙ−Ｕである。図１はＮＴＳＣのフレームのサンプリング結果を示すものである。図１を参照すると、縦軸はフレーム内のラインの位置ｘを表し、横軸はラインのピクセルの位置ｙを表している。サンプリングされた２つのデータが近接したフレーム内の同一の位置にある場合、この２つのデータ間の位相差は１８０度となる。図１の縦軸をフレームのシリアル番号ｍに変えることによっても、近接フレームのサンプリングにおける関係を説明することが可能である。
【０００８】
ＮＴＳＣ方式と異なり、ＰＡＬ方式は、４で割った場合に余りが３である７０９，３７９のサンプリングポイントを有している。たとえ同一の位置であっても、第１のフレームのデータはＹ＋Ｕ、第２のフレームのデータはＹ＋Ｖ、第３のフレームのデータはＹ−Ｕである。図２Ａはサンプリング位相がそれぞれ０、０．５π、π、１．５πである場合のＰＡＬ方式のサンプリング結果を示したものである。図２Ａを参照すると、縦軸はフレーム内もしくは近接したフレーム内のラインの位置ｘを表し、横軸はラインのピクセルの位置ｙを表している。コムフィルタの複雑性を減らすために４５度の位相シフトが用いられている、すなわち、０．２５π、０．７５π、１．２５πおよび１．７５πである。図２Ｂはサンプリング位相が０．２５π、０．７５π、１．２５πおよび１．７５πのＰＡＬ方式におけるサンプリング結果を示している。図２Ｂを参照すると、縦軸はフレーム内もしくは近接したフレーム内のラインの位置ｘを表し、横軸はラインのピクセルの位置ｙを表しており、Ａ＝０．７０７（Ｕ＋Ｖ）でありＢ＝０．７０７（Ｕ−Ｖ）である。
【０００９】
ＴＶデコーダがＦｓｃの４倍でＰＡＬ信号をサンプリングする場合、各フレームは１１３５＊６２５＋４のサンプリングポイントを有しているが、それは６２５もしくは１１３５の倍数ではない。したがって、サンプリング処理が１１３５のサンプリングポイントで行われた場合、位相誤差が生じる。６２５本のラインのサンプリング後に、４ピクセルの誤差が生じる。通常の場合、この４ピクセルの誤差は６２５本のラインで均等に分けられている。したがって、各ラインは４／６２５のピクセル位相シフトを有しサンプリング位相は０．２５π、０．７５π、１．２５πおよび１．７５πではなくなる。ＰＡＬ方式における変調方法では、Ｙ＋Ｕ＊sin（ωｔ）＋Ｖ＊cos（ωｔ）もしくはＹ＋Ｕ＊sin（ωｔ）−Ｖ＊cos（ωｔ）である。ωｔが（０．２５π＋δ）、（０．７５π＋δ）、（１．２５π＋δ）および（１．７５π＋δ）であってδが位相誤差を表す場合、sin（０．２５π＋δ）＝sin（０．２５π）cos（δ）＋cos（０．２５π）sin（δ）＝０．７０７（cosδ＋sinδ）＝０．７０７（１＋e0）であり、cos（０．２５π＋δ）＝cos（０．２５π）cos（δ）−sin（０．２５π）sin（δ）＝０．７０７(cosδ−sinδ)＝０．７０７（１＋e0）である。したがって、Ｙ＋Ｕ*sin（ωｔ）＋Ｖ*cos（ωｔ）＝Ｙ＋０．７０７（Ｕ＋Ｖ＋e0（Ｕ−Ｖ））＝Ｙ＋Ａ＋eBとなる。もう一方の位相は同様の方法によって推定することが可能であり、実際のサンプリング結果を図２Ｃに示す。ここで、位相誤差eA＝e0ＡでありeB＝e0Ｂである。図２Ｃは、サンプリング位相が０．２５π＋δ、０．７５π＋δ、１．２５π＋δおよび１．７５π＋δにおけるＰＡＬ方式の実際のサンプリング結果を表している。図２Ｃを参照すると、縦軸はフレーム内もしくは近接したフレーム内のラインの位置ｘを表し、横軸はラインのピクセルの位置ｙを表している。
【００１０】
図３は、従来の技術における３Ｄコムフィルタを示すブロック図である。図３を参照すると、従来のコムフィルタは、フレーム間Ｙ／Ｃセパレータ３１０と、２Ｄフィールド内Ｙ／Ｃセパレータ、すなわち２Ｄコムフィルタ３２０と、モーション検出器３３０と、メモリ３４０と、ミキサ３５０とからなる。複合ビデオ信号３０１はサンプリングされた信号であり、Ｆm+1はｍ＋１フレームの複合ビデオ信号を示している。メモリ３４０は複合ビデオ信号３０１を一次的に保存し、ｍフレームの複合ビデオ信号３０５を供給する。２Ｄコムフィルタ３２０は複合ビデオ信号３０５を受信し、ピクセル間の関係によってＹ／Ｃ分離を行い、分離ビデオ信号３２１を出力する。
【発明の開示】
【発明が解決しようとする課題】
【００１１】
モーションビデオ信号のＹ／Ｃ分離は、２Ｄコムフィルタ３２０によって完了する。しかしながら、２Ｄコムフィルタ３２０では、スチルビデオ信号との境目が不明瞭となってしまう。画質を向上するために、フレーム間Ｙ／Ｃセパレータ３１０によりスチルビデオ信号が処理される。従来のフレーム間Ｙ／Ｃセパレータ３１０は、Ｆm+1およびＦmのサンプリングされたデータを同時に受信し、本発明のフレーム間Ｙ／Ｃ分離方法を用いて、分離ビデオ信号３１１を出力する。モーション検出器３３０は複合ビデオ信号３０１がモーション信号かスチル信号かを判断する。従来のモーション検出器３３０は複合ビデオ信号３０１と分離ビデオ信号３２１とを受信するように構成され、近接フレームのルマ差およびクロマ差を測定し、それにより選択信号３３１を出力する。ミキサ３５０は、選択信号３３１にしたがって、分離ビデオ信号３２１もしくは３１１を選択するかまたはそれらを合成し、分離ビデオ信号３５１を出力する。
【００１２】
以下、ＮＴＳＣ方式に関する従来のイントラフレームＹ／Ｃ分離方法について説明する。図１を参照すると、従来の方法では、近接フレームにおける同一の位置、例えば位置ｙのピクセルの複合ビデオ信号の合算および平均化を行い、ルマデータを測定する。また、減算を行うことにより、クロマデータを得ることができる。変調もしくは信号の送信においてノイズが加えられる場合には、ノイズにより画質が減じられることとなる。
【００１３】
以下に、ＰＡＬ方式に関する従来のイントラフレームＹ／Ｃ分離方法について説明する。図２Ｃを参照すると、従来の方法では、例えばフレームｍ−１、ｍ、ｍ＋１における同一の位置、例えば位置ｙのピクセルの複合ビデオ信号の合算および平均化を行い、クロマデータＡもしくはＢおよび位相誤差eBもしくはeAを取り除き、ルマデータＹを測定する。また、互いの信号の減算を行うことにより、ルマデータＹを取り除くことができるが、位相誤差eBもしくはeAを防ぐことはできない。したがって、分離信号にストライプが発生してしまう。
【課題を解決するための手段】
【００１４】
したがって、本発明の目的は、ノイズに対する耐性を向上しルマデータとクロマデータとを正確に分離することが可能なフレーム間Ｙ／Ｃ分離方法を提供することである。ＰＡＬ方式に関して言えば、フレーム間の位相差によって発生する位相誤差が互いに補正される。このため、該方法をＰＡＬ方式に適用することも可能である。
【００１５】
本発明は、フレーム間Ｙ／Ｃ分離方法を開示するものであり、該方法は、複合ビデオ信号をサンプリングして複数のサンプリングされたデータＦmＰx,yを一次的に保存するステップと、複数のルマデータＹx,yをＦm+1Ｐx,y、ＦmＰx,y、Ｆm-1Ｐx,yおよびＦm-2Ｐx,yにより測定するステップと、複数のクロマデータＣx,yをＦm+1Ｐx,y、ＦmＰx,y、Ｆm-1Ｐx,yおよびＦm-2Ｐx,yにより測定するステップとを備え、ＦmＰx,yはｍフレームのｘラインにおけるｙピクセルのデータを表し、ｍ、ｘおよびｙは０以上の整数であり、Ｙx,yはｘラインのｙピクセルにおけるルマデータを表し、Ｃx,yはｘラインのｙピクセルのクロマデータを表すことを特徴とする。
【００１６】
本発明における好適なフレーム間Ｙ／Ｃ分離方法によれば、ルマデータを測定するための式は、Ｙx,y＝（Ｆm+1Ｐx,y＋ＦmＰx,y＋Ｆm-1Ｐx,y＋Ｆm-2Ｐx,y）／４である。
【００１７】
本発明における好適なフレーム間Ｙ／Ｃ分離方法によれば、複合ビデオ信号がＮＴＳＣ方式の信号である場合、複合ビデオ信号をサンプリングするステップは、サブキャリア信号の４倍の周波数で行われ、サブキャリア信号の位相は０、０．５π、πまたは１．５πである。さらに、クロマデータＣx,yを測定するための式は、Ｃx,y＝(（ＦmＰx,y＋Ｆm-2Ｐx,y−Ｆm+1Ｐx,y−Ｆm-1Ｐx,y）／４である。
【００１８】
本発明における好適なフレーム間Ｙ／Ｃ分離方法によれば、複合ビデオ信号がＰＡＬ方式の信号である場合、複合ビデオ信号をサンプリングするステップは、サブキャリア信号の４倍の周波数で行われ、サブキャリア信号の位相は０．２５π、０．７５π、１．２５πもしくは１．７５πである。さらに、クロマデータＣx,yを測定するための式は、Ｃx,y＝(（Ｆm+1Ｐx,y＋ＦmＰx,y−Ｆm―1Ｐx,y−Ｆm-2Ｐx,y）／４またはＣx,y＝(（ＦmＰx,y＋Ｆm-1Ｐx,y−Ｆm+1Ｐx,y−Ｆm-2Ｐx,y）／４である。クロマデータＣx,yはｍフレームのクロマデータである。
【００１９】
本発明においては、Ｙ／Ｃ分離に４フレームのデータを用いる。ＮＴＳＣ方式において、ノイズの干渉を減らすことが可能となり、正確なＹ／Ｃデータを得ることが可能となる。ＰＡＬ方式においては、ノイズを減少するだけでなく、フレーム間の位相差によって発生する誤差を補正することも可能となる。したがって、本発明をＰＡＬ方式に適用することもできる。
【００２０】
本発明の前述およびその他の目的、特徴および効果の理解のために、以下に図面を参照しながら好適な実施形態について詳細に説明する。
【発明を実施するための最良の形態】
【００２１】
図４は本発明のフレーム間Ｙ／Ｃ分離方法の一例を説明するためのフローチャートである。図１、２Ｃおよび４を参照すると、ステップＳ４０１において複合ビデオ信号をサンプリングし、サンプリングされたデータＦmＰx,yを得る。ここではＦmＰx,yはｍフレームのｘラインにおけるｙピクセルのデータを表しており、ｍ、ｘおよびｙは０以上の整数である。本実施形態においては、ＮＴＳＣ方式においてステップＳ４０１を行う場合、サブキャリア信号の４倍の周波数でステップＳ４０１が実行され、サブキャリア信号の位相は０、０．５π、π、もしくは１．５πである。ＰＡＬ方式においてステップＳ４０１を行う場合には、サブキャリア信号の４倍の周波数でステップＳ４０１が実行され、サブキャリア信号の位相は０．２５π、０．７５π、１．２５πもしくは１．７５πである。
【００２２】
ステップＳ４０２において、複数のルマデータＹx,yが測定される。ここではＹx,yはｘラインのｙピクセルのルマデータを表している。ルマデータを測定するための式は、Ｙx,y＝（Ｆm+1Ｐx,y＋ＦmＰx,y＋Ｆm-1Ｐx,y＋Ｆm-2Ｐx,y）／４である。本実施形態においては、Ｙx,yは、例えば、ｍフレームのルマデータである。縦軸がフレームを表し横軸がピクセルを表す図１に示すＮＴＳＣ方式の場合においては、Ｙx,y＝（（Ｙ−Ｕ）＋（Ｙ＋Ｕ）＋（Ｙ−Ｕ）＋（Ｙ＋Ｕ））／４である。ｘラインのｙピクセルにおけるルマデータＹは複合ビデオ信号から分離したものである。縦軸がフレームを表し横軸がピクセルを表す図２Ｃに示すＰＡＬ方式の場合においては、Ｙx,y＝（（Ｙ＋Ｂ−eA）＋（Ｙ＋Ｂ＋eA）＋（Ｙ−Ｂ＋eA）＋（Ｙ−Ｂ−eA））／４である。ｘラインのｙピクセルにおけるルマデータＹも複合ビデオ信号から分離したものである。
【００２３】
ステップＳ４０３において、どのタイプの方式かを特定する。ＮＴＳＣ方式であれば、ステップＳ４０４が実行され、ＰＡＬ方式であればステップＳ４０５が実行される。
【００２４】
ステップＳ４０４において、クロマデータＣx,yが測定される。ここではＣx,yはｘラインのｙピクセルにおけるクロマデータを表している。クロマデータＣx,yを測定するための式は、Ｃx,y＝(（ＦmＰx,y＋Ｆm-2Ｐx,y−Ｆm+1Ｐx,y−Ｆm-1Ｐx,y）／４である。本実施形態においては、Ｃx,yは、例えば、ｍフレームのルマデータである。縦軸がフレームを表し横軸がピクセルを表す図１のＮＴＳＣ方式においては、Ｃx,y＝（（Ｙ＋Ｕ）＋（Ｙ＋Ｕ）−（Ｙ−Ｕ）−（Ｙ−Ｕ））／４＝Ｕである。
【００２５】
ステップＳ４０５において、式Ｃx,y＝(（Ｆm+1Ｐx,y＋ＦmＰx,y−Ｆm-1Ｐx,y−Ｆm-2Ｐx,y）／４またはＣx,y＝(（ＦmＰx,y＋Ｆm-1Ｐx,y−Ｆm+1Ｐx,y−Ｆm-2Ｐx,y）／４を用いてｘラインのｙピクセルにおけるクロマデータを測定する。これらの式は、近接するピクセルを測定するのに交互に用いられる。言いかえれば、前者の式を用いてＣx,yを測定した場合、近接するピクセル、例えばＣx,y-1、Ｃx,y+1、Ｃx-1,yおよびＣx+1,yを測定するのに後者の式が用いられる。縦軸がフレームを表し横軸がピクセルを表す図２ＣのＰＡＬ方式においては、Ｃx,y＝（Ｆm+1Ｐx,y＋ＦmＰx,y−Ｆm-1Ｐx,y−Ｆm-2Ｐx,y）／４＝（（Ｙ＋Ｂ−eA）＋（Ｙ＋Ｂ＋eA）−（Ｙ−Ｂ＋eA）−（Ｙ−Ｂ−eA））／４＝Ｂであり、Ｃx,y+1＝（ＦmＰx,y＋Ｆm-1Ｐx,y−Ｆm+1Ｐx,y−Ｆm-2Ｐx,y）／４＝（（Ｙ＋Ａ−eB）＋（Ｙ＋Ａ＋eB）−（Ｙ−Ａ−eB）−（Ｙ−Ａ＋eB））／４＝Ａである。クロマデータＣ、すなわち、ｘラインのｙピクセルにおけるＡまたはＢは、複合ビデオ信号から分離したものである。
【００２６】
フレーム間Ｙ／Ｃ分離方法に基づいて、以下に本発明の好適な実施形態の説明を行う。図５は本発明の好適なフレーム間Ｙ／Ｃ分離方法を示したブロック図である。図５を参照すると、３Ｄコムフィルタは、フレーム間Ｙ／Ｃセパレータ５１０と、２Ｄフィールド内Ｙ／Ｃセパレータ、すなわち２Ｄコムフィルタ５２０と、モーション検出器５３０と、メモリ５４０と、ミキサ５５０とからなり、フレーム間Ｙ／Ｃセパレータ５１０が本発明の機能を実行するものである。複合ビデオ信号５０１はサンプリングされた信号であり、Ｆm+1はｍ＋１フレームの複合ビデオ信号を示している。メモリ５４０は複合ビデオ信号５０１を一次的に保存し、ｍフレームの複合ビデオ信号５０２、ｍ−１フレームの複合ビデオ信号５０３およびｍ−２フレームの複合ビデオ信号５０４を供給する。メモリ５４０はｍフレームの複合ビデオ信号５０５も供給する。２Ｄコムフィルタ５２０は複合ビデオ信号５０５を受信し、ピクセル間の関係によってＹ／Ｃ分離を行い、分離ビデオ信号５２１を出力する。
【００２７】
モーションビデオ信号のＹ／Ｃ分離は、２Ｄコムフィルタ５２０により完了する。画質向上のために、フレーム間Ｙ／Ｃセパレータ５１０によりスチルビデオ信号が処理される。フレーム間Ｙ／Ｃセパレータ５１０は、Ｆm+1、Ｆm、Ｆm-1およびＦm-2のサンプリングされたデータを同時に受信し、本発明のフレーム間Ｙ／Ｃ分離方法を用いて、分離ビデオ信号５１１を出力する。ここではその詳細な説明は繰り返すことはしない。モーション検出器５３０は複合ビデオ信号５０１がモーション信号かスチル信号かを判断する。モーション検出器５３０はＦm+1、Ｆm、Ｆm-1およびＦm-2のサンプリングされたデータを受信し、それらのルマエラーおよびクロマエラーを測定し、それにより選択信号５３１を出力する。
【００２８】
ミキサ５５０は、選択信号５３１にしたがって、分離ビデオ信号５２１もしくは５１１を選択するかまたはそれらを合成し、分離ビデオ信号５５１を出力する。
【００２９】
本発明を例示的な実施形態に基づいて説明したが、本発明はそれに限定されるものではない。むしろ添付の特許請求の範囲は、本発明の範囲を逸脱しない限りにおいて当業者によって作成しうる発明の変形や実施形態を広く包含するものと解釈されるべきものである。
【図面の簡単な説明】
【００３０】
【図１】ＮＴＳＣ方式におけるフレームのサンプリング結果を表す図である。
【図２Ａ】サンプリング位相が０、０．５πおよび１．５πの場合のＰＡＬ方式におけるサンプリング結果を示す図である。
【図２Ｂ】サンプリング位相が０．２５π、０．７５π、１．２５πおよび１．７５πの場合のＰＡＬ方式におけるサンプリング結果を示す図である。
【図２Ｃ】サンプリング位相が０．２５π＋δ、０．７５π＋δ、１．２５π＋δおよび１．７５π＋δの場合のＰＡＬ方式における実際のサンプリング結果を示す図である。
【図３】従来の３Ｄコムフィルタのブロック図である。
【図４】本発明によるフレーム間Ｙ／Ｃ分離方法の一例を説明するためのフロー図である。
【図５】本発明の好適なフレーム間Ｙ／Ｃ分離方法を示すブロック図である。
【符号の説明】
【００３１】
５０１  複合ビデオ信号
５０２  複合ビデオ信号
５０３  複合ビデオ信号
５０４  複合ビデオ信号
５０５  複合ビデオ信号
５１０  フレーム間Ｙ／Ｃセパレータ
５１１  分離ビデオ信号
５２０  フィールド内Ｙ／Ｃセパレータ
５２１  分離ビデオ信号
５３０  モーション検出器
５３１  分離ビデオ信号
５４０  メモリ
５５０  ミキサ
５５１  分離ビデオ信号
【図１】
2005184763.tif 000003
【図２Ａ】
2005184763.tif 000004
【図２Ｂ】
2005184763.tif 000005
【図２Ｃ】
2005184763.tif 000006
【図３】
2005184763.tif 000007
【図４】
2005184763.tif 000008
【図５】
2005184763.tif 000009